(57)【要約】【課題】ＩＲ方式のＨＡＲＱを用いる構成において、受信側における受信品質が劣化した場合であっても、再送時におけるデータパケットのサイズを増大させることなく、誤り訂正能力の低下を防止する。【解決手段】本発明に係る無線基地局１００は、冗長データを含むデータパケットを無線端末に複数回送信し、データパケットの送信毎に異なる内容の冗長データをデータパケットに含める。無線基地局１００は、無線端末が受信したデータパケットの受信品質を示す受信品質情報を受信する品質情報受信部１０７と、受信品質情報に基づき、無線端末において受信されたデータパケットの受信品質が劣化しているか否かを判定する劣化判定部１０８と、受信品質が劣化していると判定された場合、受信品質が劣化していると判定されたデータパケットの少なくとも一部を無線端末に再送する送信制御部１０３とを備える。【選択図】図２
2009296182.tif 000002
【特許請求の範囲】
【請求項１】
送信対象である情報データの誤り訂正に用いられる冗長データを含むデータパケットを複数回送信し、前記データパケットの送信毎に異なる内容の前記冗長データを前記データパケットに含める第１無線通信装置と、
前記第１無線通信装置から前記データパケットを複数回受信し、受信した複数のデータパケットのそれぞれに含まれる前記冗長データを蓄積し、蓄積した前記冗長データを用いて前記誤り訂正を行う第２無線通信装置と
を含む無線通信システムであって、
前記第２無線通信装置は、前記第１無線通信装置から受信した前記データパケットの受信品質を示す受信品質情報を生成するとともに、生成した前記受信品質情報を前記第１無線通信装置に送信する品質情報送信部を備え、
前記第１無線通信装置は、
前記第２無線通信装置から前記受信品質情報を受信する品質情報受信部と、
前記品質情報受信部が受信した前記受信品質情報に基づき、前記第２無線通信装置において受信された前記データパケットの前記受信品質が劣化しているか否かを判定する劣化判定部と、
前記劣化判定部によって前記受信品質が劣化していると判定された場合、前記受信品質が劣化していると判定された前記データパケットの少なくとも一部を前記第２無線通信装置に再送する再送処理部と
を備える無線通信システム。
【請求項２】
送信対象である情報データの誤り訂正に用いられる冗長データを含むデータパケットを他の無線通信装置に複数回送信し、前記データパケットの送信毎に異なる内容の冗長データを前記データパケットに含める無線通信装置であって、
前記他の無線通信装置が受信した前記データパケットの受信品質を示す受信品質情報を前記他の無線通信装置から受信する品質情報受信部と、
前記品質情報受信部が受信した前記受信品質情報に基づき、前記他の無線通信装置において受信された前記データパケットの前記受信品質が劣化しているか否かを判定する劣化判定部と、
前記劣化判定部によって前記受信品質が劣化していると判定された場合、前記受信品質が劣化していると判定された前記データパケットの少なくとも一部を前記他の無線通信装置に再送する再送処理部と
を備える無線通信装置。
【請求項３】
前記データパケットは、複数のブロックによって構成され、
前記受信品質情報は、前記データパケットを構成する前記ブロックそれぞれの受信品質を示し、
前記劣化判定部は、前記受信品質情報に基づき、前記他の無線通信装置において受信された前記データパケットを構成する少なくとも１つのブロックの前記受信品質が劣化しているか否かを判定し、
前記再送処理部は、前記劣化判定部によって前記受信品質が劣化していると判定されたブロックを再送する請求項２に記載の無線通信装置。
【請求項４】
前記劣化判定部は、
前記品質情報受信部が受信した前記受信品質情報を閾値と比較し、
前記受信品質情報が前記閾値を下回る場合に、前記他の無線通信装置において受信された前記データパケットの前記受信品質が劣化していると判定する請求項２に記載の無線通信装置。
【請求項５】
前記受信品質情報は、前記他の無線通信装置において前記誤り訂正の実行時に算出される尤度の情報である請求項２に記載の無線通信装置。
【請求項６】
前記再送処理部は、前記受信品質が劣化していると判定された前記ブロックを再送する際に、再送される前記ブロックを特定可能なブロック特定情報を前記他の無線通信装置に送信する請求項３に記載の無線通信装置。
【請求項７】
送信対象である情報データの誤り訂正に用いられる冗長データを含むデータパケットを複数回送信し、前記データパケットの送信毎に異なる内容の前記冗長データを前記データパケットに含める第１無線通信装置と、
前記第１無線通信装置から前記データパケットを複数回受信し、受信した複数のデータパケットのそれぞれに含まれる前記冗長データを蓄積し、蓄積した前記冗長データを用いて前記誤り訂正を行う第２無線通信装置と
を用いる無線通信方法であって、
前記第２無線通信装置が、前記第１無線通信装置から受信した前記データパケットの受信品質を示す受信品質情報を生成するステップと、
前記第２無線通信装置が、前記生成するステップにおいて生成された前記受信品質情報を前記第１無線通信装置に送信するステップと、
前記第１無線通信装置が、前記第２無線通信装置から前記受信品質情報を受信するステップと、
前記第１無線通信装置が、前記受信するステップにおいて受信した前記受信品質情報に基づき、前記第２無線通信装置が受信した前記データパケットの前記受信品質が劣化しているか否かを判定するステップと、
前記判定するステップにおいて前記受信品質が劣化していると判定された場合、前記第１無線通信装置が、前記受信品質が劣化していると判定された前記データパケットの少なくとも一部を前記第２無線通信装置に再送するステップと
を備える無線通信方法。
【発明の詳細な説明】
【技術分野】
【０００１】
本発明は、ハイブリッド自動再送制御を用いる無線通信システム、無線通信装置および無線通信方法に関する。
【背景技術】
【０００２】
一般的に、無線通信システムでは、有線通信システムと比較して伝送誤りが頻繁に発生する。このような無線通信システムにおいて通信の信頼性を向上させるために、近年では、自動再送制御（ＡＲＱ）および前方誤り訂正（ＦＥＣ）を併用するハイブリッド自動再送制御（ＨＡＲＱ）が広く用いられている。
【０００３】
ＨＡＲＱの１つとして、インクリメンタル・リダンダンシー合成方式（以下、ＩＲ方式）が知られている。ＨＡＲＱでは、送信側は、送信対象である情報データを含むデータパケットを送信した後、情報データの誤り訂正用の冗長データを含むデータパケットを繰り返し送信（再送）する。再送時には、前回までの冗長データと異なる内容の冗長データが送信される。
【０００４】
受信側は、受信した各冗長データを蓄積し、蓄積した冗長データを用いて、初回に受信した情報データの誤り訂正を行う。つまり、ＩＲ方式では、再送が行われる度に冗長データ（冗長性）が受信側で増加（インクリメント）され、再送回数が多いほど、誤り訂正能力が向上する仕組みになっている。
【０００５】
さらに、ＩＲ方式において、再送時に送信される冗長データの量を変化させる手法が提案されている（特許文献１参照）。特許文献１に記載の手法では、受信側は、送信側から受信したデータパケットの受信品質を測定し、測定した受信品質に応じて、送信側が送信する冗長データの量を指定する。具体的には、受信側は、受信品質が劣化した場合に、送信側が送信する冗長データの量を増やすよう指定する。送信側は、再送時において、受信側から指定された量の冗長データを送信する。
【０００６】
このように、特許文献１に記載の手法では、データパケットの受信品質が劣化した場合、送信する冗長データの量を増やすことによって誤り訂正能力の低下を防止している。
【特許文献１】特表２００２−５２７９３９号公報（［００２６］−［００２８］段落、第４図）
【発明の開示】
【発明が解決しようとする課題】
【０００７】
しかしながら、特許文献１に記載の手法には、次のような問題がある。具体的には、特許文献１に記載の手法では、受信品質が劣化した場合に、再送時における冗長データの量を増やすため、再送時において、大量の冗長データを含むデータパケットが送信される。このため、受信品質が劣化した場合の再送時において、データパケットのサイズが増大し、無線通信リソースの消費量が増大する問題があった。
【０００８】
そこで、本発明は、上述した課題を解決するためになされたものであり、ＩＲ方式のＨＡＲＱを用いる構成において、受信側における受信品質が劣化した場合であっても、再送時におけるデータパケットのサイズを増大させることなく、誤り訂正能力の低下を防止できる無線通信システム、無線通信装置および無線通信方法を提供することを目的とする。
【課題を解決するための手段】
【０００９】
上述した課題を解決するために、本発明は以下のような側面を有している。まず、本発明の第１の側面は、送信対象である情報データの誤り訂正に用いられる冗長データを含むデータパケットを複数回送信し、前記データパケットの送信毎に異なる内容の前記冗長データを前記データパケットに含める第１無線通信装置（例えば、無線基地局１００）と、前記第１無線通信装置から前記データパケットを複数回受信し、受信した複数のデータパケットのそれぞれに含まれる前記冗長データを蓄積し、蓄積した前記冗長データを用いて前記誤り訂正を行う第２無線通信装置（例えば、無線端末２００）とを含む無線通信システム（無線通信システム１０）であって、前記第２無線通信装置は、前記第１無線通信装置から受信した前記データパケットの受信品質を示す受信品質情報を生成するとともに、生成した前記受信品質情報を前記第１無線通信装置に送信する品質情報送信部（品質情報送信部２０７）を備え、前記第１無線通信装置は、前記第２無線通信装置から前記受信品質情報を受信する品質情報受信部（品質情報受信部１０７）と、前記品質情報受信部が受信した前記受信品質情報に基づき、前記第２無線通信装置において受信された前記データパケットの前記受信品質が劣化しているか否かを判定する劣化判定部（劣化判定部１０８）と、前記劣化判定部によって前記受信品質が劣化していると判定された場合、前記受信品質が劣化していると判定された前記データパケットの少なくとも一部を前記第２無線通信装置に再送する再送処理部（送信制御部１０３）とを備えることを要旨とする。
【００１０】
このような無線通信システムによれば、再送処理部は、受信品質が劣化していると判定されたデータパケットの少なくとも一部を第２無線通信装置に再送する。これにより、第２無線通信装置では、再送されたデータパケットに含まれる冗長データを蓄積するとともに、蓄積された冗長データを用いて再度誤り訂正を実行することができ、誤り訂正能力の低下を防止することができる。また、従来の方法のように冗長データの量を増やしていないため、再送時におけるデータパケットのサイズを増大させることがない。
【００１１】
したがって、本発明の第１の側面に係る無線通信システムによれば、ＩＲ方式のＨＡＲＱを用いる構成において、受信側における受信品質が劣化した場合であっても、再送時におけるデータパケットのサイズを増大させることなく、誤り訂正能力の低下を防止できる。
【００１２】
本発明の第２の側面は、送信対象である情報データの誤り訂正に用いられる冗長データを含むデータパケットを他の無線通信装置（例えば、無線端末２００）に複数回送信し、前記データパケットの送信毎に異なる内容の冗長データを前記データパケットに含める無線通信装置（例えば、無線基地局１００）であって、前記他の無線通信装置が受信した前記データパケットの受信品質を示す受信品質情報を前記他の無線通信装置から受信する品質情報受信部（品質情報受信部１０７）と、前記品質情報受信部が受信した前記受信品質情報に基づき、前記他の無線通信装置において受信された前記データパケットの前記受信品質が劣化しているか否かを判定する劣化判定部（劣化判定部１０８）と、前記劣化判定部によって前記受信品質が劣化していると判定された場合、前記受信品質が劣化していると判定された前記データパケットの少なくとも一部を前記他の無線通信装置に再送する再送処理部（送信制御部１０３）とを備えることを要旨とする。
【００１３】
本発明の第３の側面は、本発明の第２の側面に係り、前記データパケットは、複数のブロックによって構成され、前記受信品質情報は、前記データパケットを構成する前記ブロックそれぞれの受信品質を示し、前記劣化判定部は、前記受信品質情報に基づき、前記他の無線通信装置において受信された前記データパケットを構成する少なくとも１つのブロックの前記受信品質が劣化しているか否かを判定し、前記再送処理部は、前記劣化判定部によって前記受信品質が劣化していると判定されたブロックを再送することを要旨とする。
【００１４】
本発明の第４の側面は、本発明の第２の側面に係り、前記劣化判定部は、前記品質情報受信部が受信した前記受信品質情報を閾値と比較し、前記受信品質情報が前記閾値を下回る場合に、前記他の無線通信装置において受信された前記データパケットの前記受信品質が劣化していると判定することを要旨とする。
【００１５】
本発明の第５の側面は、本発明の第２の側面に係り、前記受信品質情報は、前記他の無線通信装置において前記誤り訂正の実行時に算出される尤度の情報であることを要旨とする。
【００１６】
本発明の第６の側面は、本発明の第３の側面に係り、前記再送処理部は、前記受信品質が劣化していると判定された前記ブロックを再送する際に、再送される前記ブロックを特定可能なブロック特定情報（送信開始ポインタ）を前記他の無線通信装置に送信することを要旨とする。
【００１７】
本発明の第７の側面は、送信対象である情報データの誤り訂正に用いられる冗長データを含むデータパケットを複数回送信し、前記データパケットの送信毎に異なる内容の前記冗長データを前記データパケットに含める第１無線通信装置と、前記第１無線通信装置から前記データパケットを複数回受信し、受信した複数のデータパケットのそれぞれに含まれる前記冗長データを蓄積し、蓄積した前記冗長データを用いて前記誤り訂正を行う第２無線通信装置とを用いる無線通信方法であって、前記第２無線通信装置が、前記第１無線通信装置から受信した前記データパケットの受信品質を示す受信品質情報を生成するステップ（ステップＳ１５）と、前記第２無線通信装置が、前記生成するステップにおいて生成された前記受信品質情報を前記第１無線通信装置に送信するステップ（ステップＳ１６）と、前記第１無線通信装置が、前記第２無線通信装置から前記受信品質情報を受信するステップ（ステップＳ１７）と、前記第１無線通信装置が、前記受信するステップにおいて受信した前記受信品質情報に基づき、前記第２無線通信装置が受信した前記データパケットの前記受信品質が劣化しているか否かを判定するステップ（ステップＳ１７、ステップＳ１８）と、前記判定するステップにおいて前記受信品質が劣化していると判定された場合、前記第１無線通信装置が、前記受信品質が劣化していると判定された前記データパケットの少なくとも一部を前記第２無線通信装置に再送するステップ（ステップＳ２０）とを備えることを要旨とする。
【発明の効果】
【００１８】
本発明によれば、ＩＲ方式のＨＡＲＱを用いる構成において、受信側における受信品質が劣化した場合であっても、再送時におけるデータパケットのサイズを増大させることなく、誤り訂正能力の低下を防止できる無線通信システム、無線通信装置および無線通信方法を提供できる。
【発明を実施するための最良の形態】
【００１９】
次に、図面を参照して、本発明の実施形態に係る無線通信システムについて説明する。具体的には、（１）無線通信システムの全体概略構成、（２）無線基地局の構成、（３）無線端末の構成、（４）再送処理の具体例、（５）無線通信システムの動作例、（６）作用および効果、（７）その他の実施形態について説明する。以下の実施形態における図面の記載において、同一又は類似の部分には同一又は類似の符号を付している。
【００２０】
（１）無線通信システムの全体概略構成
図１は、本実施形態に係る無線通信システム１０の全体概略構成図である。
【００２１】
図１に示すように、無線通信システム１０は、無線基地局１００および無線端末２００を含む。無線通信システム１０には、ＨＡＲＱが採用されている。以下の実施形態では、無線基地局１００から無線端末２００へ送信されるデータパケットについてＨＡＲＱが採用される一例について説明する。
【００２２】
無線基地局１００は、送信対象である情報データを含むデータパケットを初回送信パケットとして送信する。無線端末２００は、無線基地局１００から受信したデータパケットを誤り無く復号できた場合に、肯定応答（ＡＣＫ）を無線基地局１００に送信する。復号結果が誤りである場合には、無線端末２００は、否定応答（ＮＡＣＫ）を無線基地局１００に送信する。なお、以下の実施形態では、無線端末２００がＮＡＣＫの送信を省略し、データパケットを誤り無く復号できた場合にＡＣＫを無線基地局１００に送信するものとする。
【００２３】
無線基地局１００は、無線端末２００からＡＣＫを受信できるまでの間、情報データの誤り訂正用の冗長データを含むデータパケットを繰り返し送信（再送）する。具体的には、無線基地局１００は、再送時には、前回までの冗長データと異なる内容の冗長データを送信する。
【００２４】
無線端末２００は、受信した各冗長データを蓄積し、蓄積した冗長データを用いて、初回に受信した情報データの誤り訂正を行う。このように、無線基地局１００および無線端末２００は、原則として、上述したＩＲ方式に従ったＨＡＲＱ動作を実行する。
【００２５】
本実施形態では、無線端末２００は、無線基地局１００からデータパケットを受信すると、無線基地局１００から受信したデータパケットの受信品質を示す受信品質情報を生成し、生成した受信品質情報を無線基地局１００に送信する。ただし、無線端末２００は、ＡＣＫを送信すべき時は、無線基地局１００への受信品質情報の送信を省略可能である。
【００２６】
ここで、受信品質が劣化したデータパケットは、無線端末２００における復調結果が正しくないものと考えられる。受信品質が劣化したデータパケットに含まれる冗長データについても、無線端末２００において正しく復調されていないため、誤り訂正復号が有効に機能せず、誤り訂正能力が低下する。
【００２７】
そこで、無線基地局１００は、無線端末２００から受信した受信品質情報に基づき、ＩＲ方式に従ったＨＡＲＱ動作を取り止め、受信品質が劣化した送信済みデータパケット、または受信品質が劣化した送信済みデータパケットの一部分を無線端末２００へ再送する。
【００２８】
無線端末２００は、受信品質が劣化したデータパケットに含まれる冗長データを改めて受信し、当該冗長データを正しく復調できれば、誤り訂正復号が有効に機能し、誤り訂正能力の低下が回避される。
【００２９】
（２）無線基地局の構成
図２は、無線基地局１００の構成を示すブロック図である。なお、図２では、本発明に関連する構成のみを図示している。
【００３０】
図２に示すように、無線基地局１００は、符号化部１０１、バッファ部１０２、送信制御部１０３（再送処理部）、送受信部１０４、アンテナ１０５、応答受信部１０６、品質情報受信部１０７、および劣化判定部１０８を含む。
【００３１】
符号化部１０１は、情報データ（情報ビット系列）を符号化率Ｒ’で符号化する（図５（ａ）参照）。例えば、符号化部１０１は、情報データをターボ符号化する。この結果、冗長データ（冗長ビット系列）が生成される。バッファ部１０２は、情報データと、符号化により得られた冗長データとを保持する。
【００３２】
送信制御部１０３は、バッファ部１０２に保持されている情報データおよび冗長データから、情報データ、冗長データ、または冗長データの一部を取得し、取得したデータを含むデータパケットを生成する。
【００３３】
送受信部１０４は、送信制御部１０３によって生成されたデータパケットを変調した後、アップコンバートおよび増幅し、アンテナ１０５を介して、データパケットを含む無線信号を無線端末２００へ送信する。
【００３４】
また、送受信部１０４は、アンテナ１０５を介して、無線端末２００から無線信号を受信し、受信した無線信号をダウンコンバートおよび増幅した後に復調する。
【００３５】
応答受信部１０６は、送受信部１０４によって復調された無線信号から、ＡＣＫを抽出し、当該ＡＣＫを送信制御部１０３に通知する。送信制御部１０３は、ＡＣＫが通知されると、再送処理を終了する。
【００３６】
品質情報受信部１０７は、送受信部１０４によって復調された無線信号から、受信品質情報を抽出し、抽出した受信品質情報を劣化判定部１０８に通知する。劣化判定部１０８は、通知された受信品質情報に基づき、無線端末２００が受信したデータパケットの受信品質が劣化しているか否かを判定する。
【００３７】
例えば、受信品質情報がデータパケット全体の受信品質を示す場合には、劣化判定部１０８は、無線端末２００が受信したデータパケット全体の受信品質が劣化しているか否かを判定する。
【００３８】
一方、受信品質情報がデータパケットを構成するブロック毎の受信品質を示す場合には、劣化判定部１０８は、無線端末２００が受信したデータパケットを構成するブロック毎の受信品質が劣化しているか否かを判定する。ここで、ブロックとは、１ビット〜１０ビット程度のビット系列であり、例えば誤り訂正の１単位となるものである。
【００３９】
劣化判定部１０８による判定結果は、送信制御部１０３に通知される。送信制御部１０３は、劣化判定部１０８による判定結果に応じて、再送対象を選択する。具体的には、送信制御部１０３は、劣化判定部１０８による判定結果が劣化無しである場合には、ＩＲ方式に従った送信順序の冗長データを再送対象とする。
【００４０】
一方、劣化判定部１０８により、無線端末２００が受信したデータパケット全体の受信品質が劣化していると判定された場合、送信制御部１０３は、当該データパケットの全体を再送する。
【００４１】
あるいは、劣化判定部１０８により、無線端末２００が受信したデータパケットを構成する特定のブロックの受信品質が劣化していると判定された場合には、送信制御部１０３は、当該特定のブロックのみを再送する。
【００４２】
（３）無線端末の構成
図３は、無線端末２００の構成を示すブロック図である。なお、図３では、本発明に関連する構成のみを図示している。
【００４３】
図３に示すように、無線端末２００は、アンテナ２０１、送受信部２０２、バッファ部２０３、復号部２０４、誤り判定部２０５、応答送信部２０６、および品質情報送信部２０７を含む。
【００４４】
送受信部２０２は、アンテナ２０１を介して、無線基地局１００から無線信号を受信し、受信した無線信号をダウンコンバートおよび増幅した後に復調する。ここで、復調結果としては、軟判定値が出力される。また、送受信部２０２は、無線信号に含まれるデータパケットを抽出する。
【００４５】
バッファ部２０３は、抽出されたデータパケットを保持する。ここで、抽出されたデータパケットに冗長データが含まれる場合には、バッファ部２０３は、当該冗長データを蓄積（インクリメント）する。また、初回に送信された情報データもバッファ部２０３に保持される。
【００４６】
復号部２０４は、バッファ部２０３が蓄積した冗長データを用いて情報データの誤り訂正復号（例えば、ターボ復号）を行う。本実施形態では、復号部２０４は、誤り訂正復号の結果得られる尤度（すなわち、判定結果の信頼度）を表す対数尤度比（ＬＬＲ）を受信品質情報として品質情報送信部２０７に通知する。なお、ＬＬＲは、ビット単位あるいはシンボル単位で生成される。
【００４７】
品質情報送信部２０７は、復号部２０４より得られたＬＬＲから、平均化などの手法により、ブロック毎またはパケット毎の受信品質情報を生成し、送受信部２０２を介して、当該受信品質情報を無線基地局１００へ送信する。
【００４８】
誤り判定部２０５は、復号部２０４の復号結果をＣＲＣチェックすることにより、復号結果に誤りが含まれるか否かを判定する。誤り判定部２０５は、誤りが含まれるか否かの判定結果を応答送信部２０６に通知する。応答送信部２０６は、復号結果に誤りが含まれないと判定された場合、送受信部２０２を介して、ＡＣＫを無線基地局１００へ送信する。
【００４９】
（４）再送処理の具体例
図４は、送信制御部１０３によって実行される再送処理の概略を示す図である。上述したように、送信制御部１０３は、劣化判定部１０８による判定結果が劣化無しである場合には、ＩＲ方式に従った送信順序の冗長データを再送対象とする。
【００５０】
具体的には、送信制御部１０３は、バッファ部１０２に保持されている符号化データから、図４（ｂ）に示すように、送信対象である情報データを含むデータパケットを初回送信パケットとして送信する。符号化データは、例えば図４（ａ）に示すようなデータであり、５個のブロックからなる情報データと、２０個のブロックからなる冗長データとによって構成されている。
【００５１】
図４（ｂ）の例では、初回送信パケットには、５個のブロックからなる情報データに加え、５個のブロックからなる冗長データが含まれている。送信制御部１０３は、図４（ａ）に示す冗長データを所定周期で間引く（パンクチャする）ことにより、図４（ａ）に示す冗長データの一部のみを初回送信パケットに含めている。
【００５２】
送信制御部１０３は、図４（ｃ）〜図４（ｅ）に示すように、無線端末２００からＡＣＫを受信できるまでの間、前回までの冗長データと異なる内容の冗長データを含むデータパケットを繰り返し送信（再送）する。すなわち、図４（ａ）に示す冗長データのパンクチャに適用される消去規則が再送毎に異なっている。受信側（本実施形態では、無線端末２００）は、図４（ｆ）に示すように、受信した各冗長データを蓄積することにより、冗長データの受信毎に、誤り訂正能力が向上する。
【００５３】
図５は、劣化判定部１０８による劣化判定処理を説明するための図である。ここでは、無線端末２００からフィードバックされる受信品質情報が、データパケットを構成するブロック毎の受信品質を示す場合について説明する。
【００５４】
送信制御部１０３は、図５（ｂ）に示すように、図５（ａ）に示す符号化データ（符号化率Ｒ’）をパンクチャし、初回送信パケット（符号化率Ｒ）として送信する。ここで、初回送信パケットの符号化率Ｒは、符号化データの符号化率Ｒ’よりも大きい。そして、品質情報受信部１０７は、無線端末２００からフィードバックされる受信品質情報ＱＩ１を受信する。
【００５５】
また、送信制御部１０３は、初回送信パケットの送信後において、図５（ｃ）に示すように、図５（ａ）に示す符号化データをパンクチャし、冗長データのみからなる再送パケットを送信する。そして、品質情報受信部１０７は、無線端末２００からフィードバックされる受信品質情報ＱＩ２を受信する。
【００５６】
図５（ｂ）に示すように、初回送信パケットに対してフィードバックされる受信品質情報ＱＩ１は、初回送信パケットを構成する各ブロックの受信品質情報Ｑ１〜Ｑ７を含む。劣化判定部１０８は、受信品質情報Ｑ１〜Ｑ７のそれぞれを、予め設定された閾値と比較し、比較結果を送信制御部１０３に通知する。そして、送信制御部１０３は、初回送信パケットのうち受信品質情報が閾値を下回るブロックを特定し、特定したブロックを無線端末２００に再送する。
【００５７】
図５（ｃ）に示すように、再送パケットに対してフィードバックされる受信品質情報ＱＩ２は、再送パケットを構成する各ブロックの受信品質情報Ｑ１〜Ｑ３を含む。劣化判定部１０８は、再送パケットについても初回送信パケットと同様に、受信品質情報Ｑ１〜Ｑ３のそれぞれを閾値と比較し、比較結果を送信制御部１０３に通知する。そして、送信制御部１０３は、再送パケットのうち受信品質情報が閾値を下回るブロックを特定し、特定したブロックを無線端末２００に再送する。
【００５８】
このようにして、送信制御部１０３は、受信品質が劣化したブロックのみを再送する。ただし、受信品質が劣化したブロックのみを再送することにより、ＩＲ方式に従った再送内容とは異なる再送内容となるため、その旨を受信側（無線端末２００）に通知する必要がある。例えば、送信制御部１０３は、受信品質が劣化したブロックのみを再送する際、符号化データのうちのどのブロックを再送するかを示す送信開始ポインタを送信する。受信側（無線端末２００）では、当該送信開始ポインタに基づき、再送内容を特定することができる。
【００５９】
（５）無線通信システムの動作例
次に、無線通信システム１０の動作例について説明する。図６は、無線通信システム１０の動作例を示すフローチャートである。
【００６０】
ステップＳ１１において、無線基地局１００の符号化部１０１は、情報データを符号化し、符号化データを生成する。生成された符号化データは、バッファ部１０２に保持される。
【００６１】
ステップＳ１２において、無線基地局１００の送信制御部１０３は、バッファ部１０２から一部の冗長データ（冗長データＡと称する）を取得し、冗長データＡを含むデータパケットを無線端末２００へ送信する。
【００６２】
ステップＳ１３において、無線端末２００の送受信部２０２および復号部２０４は、上述した手順で、無線基地局１００から受信したデータパケットを復調および復号する。
【００６３】
ステップＳ１４において、無線端末２００の誤り判定部２０５は、復号されたデータパケットに誤りが含まれるか否かを判定する。ここでは、復号されたデータパケットに誤りが含まれるものとする。
【００６４】
ステップＳ１５およびステップＳ１６において、無線端末２００の品質情報送信部２０７は、受信品質情報を生成し、生成した受信品質情報を無線基地局１００に送信する。送信された受信品質情報は、無線基地局１００の品質情報受信部１０７によって受信される。
【００６５】
ステップＳ１７において、無線基地局１００の劣化判定部１０８は、品質情報受信部１０７が受信した受信品質情報を閾値と比較し、比較結果を送信制御部１０３に通知する。ここで、ステップＳ１２において送信されたデータパケットにおいて、受信品質情報が閾値を下回るブロック（以下、劣化ブロック）が存在する場合には、当該ブロックの再送が必要となる。一方、ステップＳ１２において送信されたデータパケットに劣化ブロックが存在しない場合には、当該ブロックの再送は不要である。
【００６６】
ステップＳ１８において、送信制御部１０３は、劣化ブロックを再送する必要があるか否かを判定する。劣化ブロックを再送する必要がある場合には処理がステップＳ１９に進み、劣化ブロックを再送する必要がない場合、すなわち劣化ブロックが存在しない場合には処理がステップＳ２１に進む。
【００６７】
ステップＳ１９およびステップＳ２０において、送信制御部１０３は、送信済みの劣化ブロックをバッファ部１０２から取得し、取得した劣化ブロックを無線端末２００に送信する。その際、送信制御部１０３は、符号化データのうちのどのブロックを再送するかを示す送信開始ポインタも送信する。
【００６８】
一方、ステップＳ２１およびステップＳ２２においては、通常のＩＲ方式に従った再送処理が行われる。具体的には、送信制御部１０３は、ステップＳ１２において送信された冗長データＡとは異なる内容の冗長データＢを含むデータパケットを無線端末２００に送信する。
【００６９】
ステップＳ２３およびステップＳ２４において、無線端末２００の送受信部２０２および復号部２０４は、無線基地局１００から受信したデータパケットを復調および復号する。ここで、受信したデータパケットに送信開始ポインタが含まれる場合、復号部２０４は、劣化ブロックが再送されたと判断し、受信した劣化ブロックを用いた復号処理を実行する。劣化ブロックが再送された結果、当該劣化ブロックが正しく復調されれば、高い誤り訂正効果を得ることができる。
【００７０】
（６）作用および効果
以上説明したように、送信制御部１０３は、受信品質が劣化していると判定されたデータパケットの少なくとも一部を無線端末２００に再送する。これにより、無線端末２００では、再送されたデータパケットに含まれる冗長データを蓄積するとともに、蓄積された冗長データを用いて再度誤り訂正を実行することができ、誤り訂正能力の低下を防止することができる。また、従来の方法のように冗長データの量を増やしていないため、再送時におけるデータパケットのサイズを増大させることがない。
【００７１】
したがって、本実施形態に係る無線通信システム１０によれば、ＩＲ方式のＨＡＲＱを用いる構成において、受信側（無線端末２００）における受信品質が劣化した場合であっても、再送時におけるデータパケットのサイズを増大させることなく、誤り訂正能力の低下を防止できる。
【００７２】
本実施形態では、劣化判定部１０８は、無線端末２００において受信されたデータパケットを構成する少なくとも１つのブロックの受信品質が劣化しているか否かを判定する。そして、送信制御部１０３は、受信品質が劣化していると判定されたブロックのみを再送する。このため、再送時におけるデータ量を低減することができ、無線通信リソースの消費量が削減可能となる。
【００７３】
本実施形態では、受信品質情報は、無線端末２００において誤り訂正の実行時に算出されるＬＬＲであるため、無線基地局１００は、無線端末２００における誤り訂正能力が低下しているか否かを判断可能となる。
【００７４】
本実施形態では、送信制御部１０３は、劣化ブロックを再送する際に、当該劣化ブロックを特定可能な送信開始ポインタを無線端末２００に送信するため、無線端末２００は、劣化ブロックが再送されたことを容易に検知することができる。
【００７５】
（７）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７６】
上述した実施形態では、下り無線通信に適用される再送処理について説明したが、当該再送処理は、上り無線通信に対しても適用可能であることは勿論である。
【００７７】
また、上述した実施形態では、受信品質情報としてＬＬＲが用いられていたが、ＬＬＲに限定されない。例えば、図７に示すように、シンボル毎の受信電力の情報（エンベロープ）を受信品質情報として用いてもよい。
【００７８】
さらに、上述した実施形態では、データパケット全体、またはデータパケットを構成するブロック毎の受信品質に応じた再送処理を行っていたが、上り無線通信における無線通信リソースに余裕がある場合には、データパケットを構成するビット毎（あるいはシンボル毎）の受信品質に応じた再送処理を行ってもよい。
【００７９】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００８０】
【図１】本発明の実施形態に係る無線通信システムの全体概略構成図である。
【図２】本発明の実施形態に係る無線基地局の構成を示すブロック図である。
【図３】本発明の実施形態に係る無線端末の構成を示すブロック図である。
【図４】本発明の実施形態に係る送信制御部による再送処理の概略を示す図である。
【図５】本発明の実施形態に係る劣化判定部による劣化判定処理を説明するための図である。
【図６】本発明の実施形態に係る無線通信システムの動作例を示すフローチャートである。
【図７】本発明の実施形態に係る受信品質情報の変更例を説明するための図である。
【符号の説明】
【００８１】
１０…無線通信システム、１００…無線基地局、１０１…符号化部、１０２…バッファ部、１０３…送信制御部、１０４…送受信部、１０５…アンテナ、１０６…応答受信部、１０７…品質情報受信部、１０８…劣化判定部、２００…無線端末、２０１…アンテナ、２０２…送受信部、２０３…バッファ部、２０４…復号部、２０５…誤り判定部、２０６…応答送信部、２０７…品質情報送信部
【図１】
2009296182.tif 000003
【図２】
2009296182.tif 000004
【図３】
2009296182.tif 000005
【図４】
2009296182.tif 000006
【図５】
2009296182.tif 000007
【図６】
2009296182.tif 000008
【図７】
2009296182.tif 000009